(57)【要約】      （修正有）【課題】造花よりなり、祭壇に飾る供花とすることも、棺の中でご遺体に添える供花とすることもできる供花セットを提供する。【解決手段】表面に開口を有する直方体の箱４と、箱に収納され開口から見ることができる複数本の造花１とを有し、複数本の造花は、少なくとも２つの束からなり、箱の裏面に箱を立てる際に支える支持部材を有し、複数本の造花を有する箱は供花として用いられると共に、複数本の造花による少なくとも２つの束は、箱から取り出した状態で束のそれぞれが供花として用いられる。【選択図】図１
0003233081.tif 000002
【実用新案登録請求の範囲】
【請求項１】
表面に開口を有する直方体の箱と、前記箱に収納され前記開口から見ることができる複数本の造花とを有し、前記複数本の造花は、少なくとも２つの束からなり、前記箱の裏面に前記箱を立てる際に支える支持部材を有し、前記複数本の造花を有する前記箱は供花として用いられると共に、前記複数本の造花による少なくとも２つの束は、前記箱から取り出した状態で前記束のそれぞれが供花として用いられることを特徴とする供花セット。
【請求項２】
前記造花は、少なくとも石鹸を原料の一部に用いることを特徴とする請求項１に記載の供花セット。
【請求項３】
前記造花が、白檀、沈香の中から選ばれる香りを有することを特徴とする請求項１又は２に記載の供花セット。
【請求項４】
前記箱に収納された前記複数本の造花は、前記少なくとも２つの束からなり、前記少なくとも２つの束のそれぞれは、同サイズであることを特徴とする請求項１乃至３のいずれか１項に記載の供花セット。
【請求項５】
前記複数本の造花を有する前記箱の１乃至複数個が供花として祭壇に配置されることを特徴とする請求項１乃至３のいずれか１項に記載の供花セット。
【請求項６】
前記複数本の造花による２以上の束は、供花として棺内に配置されることを特徴とする請求項１乃至４のいずれか１項に記載の供花セット。
【考案の詳細な説明】
【技術分野】
【０００１】
本考案は、葬式を主として装飾する供花に関し、特に、造花を用いた供花セットに関する。
【背景技術】
【０００２】
従来、日本においては葬式を装飾する花として、生花が用いられている。
しかしながら、生花は数日間しかもたない。
【０００３】
一方、造花は、従来は多くが紙や布や合成樹脂で作られていたが、近年は、石鹸と同じ材料で作られた「ソープフラワー」と呼ばれるものが現れている。そして、生花に比べて、時間が経っても衰えないこと、意図的に色や香りを付けられること、多くの場合に生花よりも安価であること、などから、供花としても造花が用いられるようになっている。
例えば、特許文献１には、「遺体と共に棺に納める供養香華」として、「蓮華に象った造花の、花弁に取囲まれた内側へ、造花の内側から芳香を漂わせ、かつ火葬後も火葬炉内に残香を保有せしめうる香木を収容してなることを特徴とする遺体と共に棺に収める供養香華。」が示されている。
【０００４】
また、特許文献２には、「納棺用造花」として、「お棺の中で冷凍・冷気に影響されることなく遺体に添えることが出来る、造花にお経札のついた納棺用造花。」が示されている。
【先行技術文献】
【特許文献】
【０００５】
【特許文献１】実公昭５７−２９７９４号公報
【特許文献２】実用新案登録第３２１８０３８号公報
【考案の概要】
【考案が解決しようとする課題】
【０００６】
従来の供花では、通常は主として生花が用いられ、また、造花が用いられることもあったが、供花を祭壇と棺とで共用できないという問題点があった。上記の特許文献に示されているものは、棺に入れる供花である。特許文献１に「納棺以前にはこれを霊前に供えて使用することもできるものである。」との記述があるが、祭壇を飾る花束のような思想は示されていない。
本考案は、祭壇と棺とに共用可能な供花セットを提供することを目的とする。
【課題を解決するための手段】
【０００７】
上記の問題を解決するために、本考案は、表面に開口を有する直方体の箱と、前記箱に収納され前記開口から見ることができる複数本の造花とを有し、前記複数本の造花は、少なくとも２つの束からなり、前記箱の裏面に前記箱を立てる際に支える支持部材を有し、前記複数本の造花を有する前記箱は供花として用いられると共に、前記複数本の造花による少なくとも２つの束は、前記箱から取り出した状態で前記束のそれぞれが供花として用いられることを特徴とする供花セットを提供するものである。
【０００８】
さらに、本考案の供花セットは、その造花が少なくとも石鹸を原料の一部に用いる供花セットであってもよい。
【０００９】
また、本考案の供花セットは、その造花が、白檀、沈香の中から選ばれる香りを有する供花セットであってもよい。
【００１０】
また、本考案の供花セットは、前記箱に収納された前記複数本の造花が、前記少なくとも２つの束からなり、前記２つの束のそれぞれは、同サイズである供花セットであってもよい。
【００１１】
また、本考案の供花セットは、前記複数本の造花を有する前記箱の１乃至複数個が供花として祭壇に配置されることができる供花セットであってもよい。
【００１２】
また、本考案の供花セットは、前記複数本の造花による２以上の束が、供花として棺内に配置されることができる供花セットであってもよい。
【考案の効果】
【００１３】
本考案の供花セットを用いることによって、祭壇に飾る供花とすることも、棺の中でご遺体に添える供花とすることもできる。
出棺の時に「最後にもう一度お顔を」というタイミングだけでなく、お参りする個々人の都合で、他のタイミングでお顔を見る人もいる。その人がお顔を見た時にも、ご遺体の周りが美しく整えてあった方が良い。本考案の供花セットは、祭壇に飾られても、早い時期に棺に入れられても良いように、祭壇に飾った供花セットを棺に移すタイミング（時機）を、適宜決めることができる点で、どちらの使われ方にも対応できるようになっている。
【００１４】
また、束（塊り）のままで棺に入れることも出来るし、ばらばらにして花一つずつで入れることもできる。納棺から葬儀までの間にご遺体の周りを飾るという場合には、花を束（塊り）のままご遺体の脇に置くようにすると、作業性が良いし、見た目も綺麗に置くことができる。また、葬儀の後段で「最後にもう一度故人のお顔を」の段で、参列者達が、ご遺体のお顔を拝見して各人が花を供する場合には、花の束（塊り）から個々の花を取り分けて、それを供するのが自然であり、本考案の供花セットではそのようにできる。
【００１５】
また、１つの箱に入っている２つの束のうちの１束ずつをご遺体の両側に置くことで、バランス良く、見た目に美しく配置することができる。
【図面の簡単な説明】
【００１６】
【図１】本考案を適用した供花セットの実施例１を示す、少し斜めから見た正面図
【図２】本考案を適用した供花セットの実施例２を示す、少し斜めから見た正面図
【図３】実施例２の供花セットの背面図
【図４】実施例２の供花セットの箱を立てる際に支える、箱の裏面に設けられた支持部材を示す図
【図５】上記の支持部材が組み立てられて実施例２の供花セットが立てられた様子を示す図
【図６】実施例２の供花セットの、箱の中に収容されていた造花の２つの束を箱から出し、造花の差し込み部材の側から見た図
【図７】箱に入った状態の２つの本考案による供花セットを、お葬式の祭壇に飾った様子を示す図
【図８】本考案による供花セットを、箱から出した状態で、棺の中のご遺体の左右に納めた様子を示す図
【考案を実施するための形態】
【００１７】
本考案を適用した供花セットの実施例１の正面図を図１に示す。図１において、石鹸を原料の一部に用いた造花、ソープフラワーとも称されるものが箱の中に収められている。箱の正面には開口が設けられており、その開口には必要に応じて樹脂製やガラス製の透明なシートが貼ってあり、このシートを通して、中の造花を見ることができる。
【００１８】
箱の中の造花は、２つの束に分けられている。「束」と言っても、リボンで束ねたような束の形態に限定されるものではなく、要は、グループにしてあるということである。本実施例では、発泡スチロール製の厚板状の差し込み部材が２個あり、それぞれの差し込み部材に個々の造花の茎の部分が差し込まれて固定されており、それによって、２つのグループ、すなわち２つの束になっている。本実施例では、１つの束が１７個の造花で構成されているが、１つの束当たりの造花の個数をいくつにするかは任意に決めることができる。なお、本実施例では差し込み部材に差し込むことで固定とグループ化をしているが、方法はこれに限定されるものではなく、網状の部材に固定する、紐や針金でつなぐ、各造花を接着する、所定形状の剣山を用いる、などその他の形状や方法を用いることができる。
【００１９】
本実施例では個々の造花はバラの花を模した形にしてあり、色はピンクの造花と白色の造花にしてある。しかし、どのような花の形とするかは任意であり、旧来の日本のお葬式の雰囲気に合わせるならば菊の花にすることも考えられるし、他にも、そのお葬式の宗教や、故人の嗜好や、参列者の傾向など、状況に合わせて、各種多様な花の造花であり得る。また、造花の色も、様々な色にすることができる。お葬式の雰囲気に合わせて寂しい色とするならば水色や紫といった色とすることができるし、逆に、寂しいのは避けてできるだけ明るくしたいということであれば本実施例のようにピンクにすることや赤色にすることもできる。
【００２０】
また、造花に意図的に香りをつけ、周囲にその香りが漂うようにすることができる。本実施例では、造花がバラを模していることに合わせてバラの香りを付けてあるが、神妙な、あるいは荘厳な雰囲気にするために、白檀や沈香の香りを付けておくことも考えられる。
【００２１】
図２は、別の実施例であるところの、本考案による供花セットである実施例２の正面図である。実施例２は実施例１と箱の形状、造花の形状と個数が同じであるが、それぞれ異なる色にしてあり、箱の色が実施例１ではピンクであるのに対して実施例２では箱の色が紫であり、実施例２の造花の色は、紫色の造花と白色の造花にしてある。
【００２２】
図３は実施例２の供花セットの、造花が箱に収容された状態での背面図である。本実施例の供花セットは、箱に収容したままで立てて飾ることができるようになっており、この背面図が、箱の底に設けられた支持部材を組み立てるための切り込みを示している。
【００２３】
図４は、図３に示す切り込みに沿って箱の底面の一部を開いて、支持部材を組み立てたところを示している。
【００２４】
図５は、図４で示した支持部材を用いて実施例２の供花セットを箱ごと立てた様子を示している。なお、箱は、正面側が開閉できる形状となっているが、箱の開閉は、側面側とすることもできる。
【００２５】
図６は、実施例２の供花セットを箱の中から取り出した状態を示し、２つの造花の束を差し込み部材の側から見たものである。
【００２６】
図７は、実施例１の供花セットと実施例２の供花セットを、箱にいれたままの状態でお葬式の祭壇に飾った状態を示している。祭壇に向かって左側に実施例１の供花セットが、右側に実施例２の供花セットが飾られている。箱の正面側に開口が設けられ、そこに樹脂製の透明シートが貼ってあるので、このように箱に入れたまま飾っても、中の造花を見ることができる。
【００２７】
図８は、本考案による供花セットの造花を棺の中でご遺体の脇に飾った場合の状態を示している。実施例１の供花セットで箱に入れられていた造花の２つの束を、箱から出し、それぞれをご遺体の顔の両側に１つずつ置くように配置している。本実施例では、２つの束が同一のサイズであるので、ご遺体の両側のそれぞれが同じサイズであり、バランスが良く、見た目も良くなっている。
【００２８】
上述のように、本考案による供花セットは、祭壇に飾ることもできるし、棺に納めることもできる。同じ供花セットを共用して、先に祭壇上に飾っておき、その後にその供花セットを棺に納めることができる。その際に箱から取り出して造花の束の形で図８に示すように納めることができる。その時、造花が束にしてあるので、造花を個々に移すのと比べて作業が容易になる。
【００２９】
また、祭壇に飾った供花セットを棺に移すタイミング（時機）を、適宜決めることができる。たとえば、生花の場合のように、お葬式の終わりの方で参列者が一人ずつご遺体に最後のお別れをする時に、各人が差し込み部材から外した造花を一つずつ棺に納めることが考えられる。また、お葬式より前に、お通夜の時などにご遺体を見ようという人が多ければ、それに間に合うように、本考案の供花セットを棺に納めておくことも考えられる。
【符号の説明】
【００３０】
１    造花
２    差し込み部材
３    供花セット（束）
４    箱
５    供花セット（箱に入った状態）
６    支持部材
７    祭壇
８    棺
９    切り込み
【図１】
0003233081.tif 000003
【図２】
0003233081.tif 000004
【図３】
0003233081.tif 000005
【図４】
0003233081.tif 000006
【図５】
0003233081.tif 000007
【図６】
0003233081.tif 000008
【図７】
0003233081.tif 000009
【図８】
0003233081.tif 000010